(57)【要約】【課題】立体的な配置とイルミネーション効果を組み合わせることにより、宝飾品をより美しく鑑賞することができる宝飾台を提供する。【解決手段】錐台の底台と、底台上に載置された錐形の飾り体と、底台の縁部近傍に配置され略鉛直方向に伸びる支柱と、を具備する。  底台の形状は角錐台、円錐台又は楕円錐台等が可能であり、飾り体の形状は底台の形状に合わせて、それぞれ、角錐、円錐又は楕円錐等となる。支柱の形状は、載置する宝飾品に合わせて、針金状のものにしたり、動物の体形を具現するものにしたりすることが可能である。  指輪等は飾り体若しくは支柱の頂部近傍に載置し、ネックレス等は縣架又は飾り体・支柱間に吊り掛ける等の演出が可能である。  請求項２及び３の発明は、底台上の飾り体外部に少なくとも一のスポットライトと、飾り体内部に少なくとも一の光源を有し、飾り体の内外両方向から宝飾品をライトアップする。【選択図】図１
2015100585.tif 000002
【特許請求の範囲】
【請求項１】
宝飾品を展示するための宝飾台であって、
内部が空洞の錐台の底台と、
前記底台上に載置された内部が空洞の錐形の飾り体と、
前記底台から略鉛直方向に伸びる支柱と、
を具備することを特徴とする宝飾台。
【請求項２】
前記底台上かつ前記飾り体の外側に、少なくとも一のスポットライトを有することを特徴とする請求項１に記載の宝飾台。
【請求項３】
前記飾り体は光透過性の素材から成り、前記飾り体の内側に、少なくとも一の光源を有することを特徴とする請求項１又は２記載の宝飾台。
【発明の詳細な説明】
【技術分野】
【０００１】
本発明は、ネックレスや指輪等の宝飾品類を展示するための宝飾台に関する。
【背景技術】
【０００２】
従来の販売店や展示会における宝飾品類の飾り方としては、人体模型に装着して飾るほかは、宝飾箱や指輪ケース等に入れたまま陳列されていた。
【先行技術文献】
【特許文献】
【０００３】
【特許文献１】特開２００３−３２５２８６号公報
【特許文献２】実用新案登録第３１３８７４１号
【発明の概要】
【発明が解決しようとする課題】
【０００４】
ネックレスや指輪等の宝飾品類は、宝飾箱や指輪ケース等に収納されたままでは、その価値や美しさを十分に表出させることはできない。これを踏まえ、特許文献１においては、宝飾箱を兼ねる展示台についての発明が開示されている。しかし、この提案は販売に要する保管スペースや展示材料の節約などの課題の解決を優先するあまり、展示する宝飾品の商品価値を引き出す環境作りがなされておらず、宝飾品の魅力を鑑賞者に伝達するうえで不十分である。
【０００５】
特許文献２に開示の発明は、宝飾台本体に照明効果、イルミネーション効果を持たせ、展示物と一体となった照明装置の提供を課題とするが、照明装置の上に宝飾品を載置するだけでは、台が光透過性であったとしても、宝飾品全面から発散される魅力を鑑賞者に伝達することはできない。
【０００６】
上述の問題点に鑑み、本考案においては、あたかも宝飾品が空中に浮遊するかのように思わせる立体的な配置とイルミネーション効果を組み合わせることにより、鑑賞者が宝飾品の全面から放たれる魅惑を感じ取り、宝飾品をより美しく鑑賞することができる宝飾台を提供することを課題とする。
【課題を解決するための手段】
【０００７】
上記課題を解決するために、本発明の請求項１の発明は、錐台の底台と、前記底台に嵌め込む形で載置された錐形の飾り体と、前記底台の縁部近傍に配置され略鉛直方向に伸びる支柱と、を具備する。
【０００８】
底台の形状は、角錐台、円錐台又は楕円錐台であり、その場合、底台上に配置される飾り体の形状は底台の形状に合わせて、それぞれ、角錐、円錐又は楕円錐となる。一方、支柱の形状は、載置する宝飾品に合わせて、サイケデリックな曲線を組み合わせた針金状のものにしたり、現実又は架空の動物の体形を具現するものにしたりすることが可能である。支柱の材質は、金属、ガラス等、飾る装飾品に合わせて選択する。
【０００９】
宝飾品の展示方法については、指輪等は飾り体若しくは支柱の頂部近傍に載置し、ネックレスなど紐状のものはそれらに縣架するか、又は飾り体と支柱の双方に橋梁のごとく吊り掛ける等の演出が可能となる。また、複数の宝飾品を同時に展示することもできる。
【００１０】
請求項２及び請求項３の発明は、請求項１の発明にイルミネーション効果を付加するもので、底台上の飾り体外部に少なくとも一のスポットライトと、同じく底台上の飾り体内部に少なくとも一の光源を有することを特徴とする。前記スポットライト及び飾り体内部の光源としては、載置スペース、耐久性及び費用効果の観点から、小型のＬＥＤ発光体又は電球とすることが望ましい。
【発明の効果】
【００１１】
底台から上方向に伸びる飾り体と支柱に宝飾品を載置・縣架することにより、これまでにない立体的な展示が可能となり、宝飾品を全面から観賞することができる。これにより、宝飾品の魅力を鑑賞者に十分に伝達することができる。
【００１２】
飾り体の外部からのスポットライトと、内部からの光源を使用したライトアップ効果により、立体的に展示された宝飾品に、さらに視覚的訴求力を持たせることができる。
【００１３】
販売店において、宝飾品を美しく飾ることにより、顧客に対して、その価値を従来より強くアピールすることができる。これにより販売の飛躍的な伸びが実現する。
【００１４】
特殊な力が宿っていると考えられている石、パワーストーンの載置台として活用する場合には、石を飾り体の頂点に飾ることにより、想念を集中して開運等の効果を高めることができる。
【図面の簡単な説明】
【００１５】
【図１】本発明の実施形態１−１の概念図である。
【図２】本発明の実施形態１−２の概念図である。
【図３】支柱の形状の例を示す正面図である。
【図４】本発明の実施形態２の概念図である。
【発明を実施するための形態】
【００１６】
以下に、本発明の実施形態を、底台及び飾り体の形状並びに照明装置の有無によって分け、図を用いて説明する。
【００１７】
（実施形態１−１）
請求項１に記載の宝飾台は、錐台の底台と、底台上に嵌め込む形で載置された錐形の飾り体と、同じく底台から略鉛直方向に伸びる支柱と、を具備する宝飾台である。本実施形態においては、図１に示すように、底台１は四角錐台、飾り体２は四角錐、支柱３は曲線を組み合わせた針金状のものを例示する。
【００１８】
底台１及び飾り体２の内部は空洞となっており、飾り体２は底台１の空洞内に嵌め込む。また、底台１の底部はフェルトが張られた底板で塞がれており、布台等の上で宝飾台を容易に擦動できるようになっている。
【００１９】
支柱３は、底台１の上底の縁に設置用の穴１１を数か所設けて、使用する穴を選択して設置できるようになっている。また、支柱３の高さは、支柱３の先端に載置する宝飾品と飾り体２との高低を考慮し、飾り体２の高さより若干高くすることが望ましい。また、支柱３の形状は、図１及び図２では針金状のものとしたが、図３（１）乃至（３）に例示するように、載置する宝飾品に合わせて様々な形状・素材を用いることができる。
【００２０】
ネックレス系であれば支柱３又は飾り体２に縣架するか、または両方に吊り掛ける。指輪であれば支柱３又は飾り体２のいずれかに載置する。また、その立体的構造から、一度に複数個の宝飾品を展示することも可能である。
【００２１】
（実施形態１−２）
図２に示すように、実施形態１Ｂの宝飾台は、底台１・飾り体２をそれぞれ円錐台・円錐としたものである。飾り体２の載置方法、支柱３の形状については前述の実施形態Ａと同様である。展示者の意図や展示のテーマにより、それぞれの形態を選択または組み合わせての宝飾が可能である。
【００２２】
（実施形態２）
請求項２及び請求項３の発明は、請求項１の宝飾台に照明装置を追設し、立体展示の効果にイルミネーション効果を付加したものである。
【００２３】
図４に示すように、本実施形態では、底台１・飾り体２にそれぞれ四角錐台・四角錐を採用し、底台１の上底の二角にＬＥＤのスポットライト４を設置している。また、飾り体２には光透過性の素材を採用し、内部にＬＥＤ光源５１を配置した照明装置５を設置し、飾り体２の内外両方向から宝石等の宝飾品をライトアップする。これにより、宝飾品は視覚的に優れた訴求力を有する。
【００２４】
支柱を立てる穴は、図に示すとおり四角錐台である底台の上底各辺に用意したが、立てる支柱の形状・高さとスポットライトとの位置関係を考慮し、より効果的な場所に穴を設置して選択的に使用することが可能である。
【００２５】
図４に示すように、本実施形態においては、照明装置５は底台１の形状に合わせて四角形とし、底台１の空洞内に嵌め込む。照明装置５は、電源として３本の単三電池５２を有し、中央の光源に電力を供給するほか、飾り体２の外部のスポットライト４にも電力を供給する。また、照明装置５はコード接続の電源スイッチ５４を具備し、底台１の外部からスポットライト４とＬＥＤ光源５１のＯＮ／ＯＦＦができるようになっている。
【００２６】
照明装置５の上には、中央に開放部６１を有する白色のカバー６が嵌め込まれている。カバー６は照明装置５上の電池５２と配線５３を隠す一方、開放部６１を通してＬＥＤ光源５１の光を上方に開放する。これにより、飾り体２は内面照射を受け、外部からは自ら発光しているかのように見える。  
【００２７】
以上、本発明の有する特徴及び優れた点を、発明の構造と機能の詳細をあげて上記実施形態に記載したが、このほかにも本発明は、本発明の原理の範囲内で、本願の特許請求の範囲で使用されている言葉を広く一般的な意味にまで広げて、細かな点、特に底台・飾り体の形状、支柱の数を変更しての実施が可能である。また、請求項３、４の発明についても、電源を乾電池とせず、家庭用又は工業用の交流電源とすることが可能である。いずれの実施形態も本発明の技術的範囲を逸脱するものではない。
【符号の説明】
【００２８】
１    底台
１１  支柱用の穴
１２  スポットライト用の穴
２    飾り体
３    支柱
４    スポットライト
５    照明装置
５１  光源
５２  電池
５３  配線
５４  スイッチ
６    カバー
６１  光源用開放部
【図１】
2015100585.tif 000003
【図２】
2015100585.tif 000004
【図３】
2015100585.tif 000005
【図４】
2015100585.tif 000006